(57)【要約】【課題】ユーザの位置に応じて機器に関する情報を適切に表示して利便性を高めることが可能な表示制御プログラム、表示制御システム及び表示制御方法を提供することである。【解決手段】ホームゲートウェイ１は、取得部１２ａと、表示制御部１２ｂと、登録機器リスト記憶部１３ａとを具備する。取得部１２ａは、表示制御装置１０の現在位置に関する位置情報を取得する。表示制御部１２ｂは、取得部１２ａによって取得された位置情報に対応する識別情報を登録機器リスト記憶部１３ａから取得し、複数の機器に関する情報が表示される画面において、該取得された識別情報の機器に関する情報が、他の機器に関する情報よりも優先して表示されるように制御する。【選択図】図２
2016181839.tif 000002
【特許請求の範囲】
【請求項１】
自装置の現在位置に関する位置情報を取得する取得手順と；
前記取得手順によって取得された位置情報に対応する識別情報を、機器を識別する識別情報と、該機器が設置されている位置情報とを対応付けて記憶する記憶部から取得し、複数の機器に関する情報が表示される画面において、該取得された識別情報の機器に関する情報が、他の機器に関する情報よりも優先して表示されるように制御する表示制御手順と；
を実行させる表示制御プログラム。
【請求項２】
前記表示制御手順は、複数の機器に関する情報が表示される画面において、取得された識別情報の機器に関する情報が、他の機器に関する情報よりも前記画面の上方に表示されるように制御する請求項１に記載の表示制御プログラム。
【請求項３】
前記表示制御手順は、複数の機器に関する情報が表示される画面において、取得された識別情報の機器に関する情報が、他の機器に関する情報よりも大きく表示されるように制御する請求項１に記載の表示制御プログラム。
【請求項４】
前記取得手順によって取得された位置情報に対応する識別情報を用いて、自装置が特定の部屋に進入したか否かを判定する判定手順をさらに実行し、
前記表示制御手順は、前記判定手順によって前記自装置が特定の部屋に進入したと判定した場合には、前記取得手順によって取得された位置情報に対応する識別情報を前記記憶部から取得し、該取得された識別情報の機器に関する情報が他の機器に関する情報よりも優先して表示される画面を、ポップアップで表示されるように制御する請求項１〜３のいずれか一つに記載の表示制御プログラム。
【請求項５】
前記表示制御手順は、前記複数の機器に関する情報が表示される画面として、各機器を操作する操作メニュー画面または各機器の消費電力に関する表示画面が表示されるように制御する請求項１〜４のいずれか一つに記載の表示制御プログラム。
【請求項６】
複数の機器と、各機器に関する情報を表示する表示制御装置とを有する表示制御システムであって、
前記表示制御装置が、
機器を識別する識別情報と、該機器が設置されている位置情報とを対応付けて記憶する記憶部と；
自装置の現在位置に関する位置情報を取得する取得部と；
前記取得部によって取得された位置情報に対応する識別情報を前記記憶部から取得し、複数の機器に関する情報が表示される画面において、該取得された識別情報の機器に関する情報が、他の機器に関する情報よりも優先して表示されるように制御する表示制御部と；
を具備する表示制御システム。
【請求項７】
表示制御装置によって実行される表示制御方法であって、
前記表示制御装置が、機器を識別する識別情報と、該機器が設置されている位置情報とを対応付けて記憶する記憶部を具備し、
自装置の現在位置に関する位置情報を取得する取得ステップと；
前記取得ステップによって取得された位置情報に対応する識別情報を前記記憶部から取得し、複数の機器に関する情報が表示される画面において、該取得された識別情報の機器に関する情報が、他の機器に関する情報よりも優先して表示されるように制御する表示制御ステップと；
を含んだ表示制御方法。
【発明の詳細な説明】
【技術分野】
【０００１】
本発明の実施形態は、表示制御プログラム、表示制御システム及び表示制御方法に関する。
【背景技術】
【０００２】
昨今は一般家庭にＨＥＭＳ（Home  Energy  Management  System）の導入が進んでいる。ＨＥＭＳは、日本であれば通信方式としてＥＣＨＯＮＥＴＬｉｔｅを使用することが一般的であり、ＥＣＨＯＮＥＴＬｉｔｅによる制御によりコントロール可能なＬＥＤ照明やエアコンといった機器が知られている。
【０００３】
また、ＨＥＭＳのコントロールは家庭内にホームゲートウェイを設置し、このホームゲートウェイを介して電力計測装置からの電力情報の取得を行ったり、各種家電機器のコントロールを行ったりする。また、現在の消費電力を確認したり、家電のコントロールを行う操作を行ったりする場合はスマートフォンやタブレットのようなユーザーインターフェースを備えたデバイス上に表示されるＧＵＩにより提供された機能により実現していることが多い。また、家電をコントロールするための画面は固定の表示であり、登録された機器の順番やＨＥＭＳシステム固有の順番で表示されている事が多く、また電力情報の表示される順番も分岐ブレーカの順番で昇順に並んで表示されている事が多い。
【先行技術文献】
【非特許文献】
【０００４】
【非特許文献１】“ホームＩＴシステム  東芝ＨＥＭＳ”、［online］、［平成２７年３月１８日検索］、インターネット＜http://feminity.toshiba.co.jp/feminity/index_j.html＞
【発明の概要】
【発明が解決しようとする課題】
【０００５】
本発明が解決しようとする課題は、ユーザの位置に応じて機器に関する情報を適切に表示して利便性を高める表示制御プログラム、表示制御システム及び表示制御方法を提供することである。
【課題を解決するための手段】
【０００６】
実施形態の表示制御プログラムは、機器を識別する識別情報と、該機器が設置されている位置情報とを対応付けて記憶する記憶部と、自装置の現在位置に関する位置情報を取得する取得部と、前記取得部によって取得された位置情報に対応する識別情報を前記記憶部から取得し、複数の機器に関する情報が表示される画面において、該取得された識別情報の機器に関する情報が、他の機器に関する情報よりも優先して表示されるように制御する表示制御部と、を具備する。
【発明の効果】
【０００７】
実施形態に係る表示制御プログラム、表示制御システム及び表示制御方法によれば、ユーザの位置に応じて機器に関する情報を適切に表示して利便性を高めることが期待できる。
【図面の簡単な説明】
【０００８】
【図１】図１は、第１の実施形態に係る表示制御システムの一例の概要を示す図である。
【図２】図２は、第１の実施形態に係る表示制御装置の構成の一例を示す図である。
【図３】図３は、第１の実施形態に係る登録機器リスト記憶部に記憶される情報の一例を説明する図である。
【図４】図４は、リビングにいる場合に表示される操作画面の一例を説明する図である。
【図５】図５は、子供部屋にいる場合に表示される操作画面の一例を説明する図である。
【図６】図６は、第１の実施形態に係る表示制御装置における機器操作メニュー表示処理の流れの一例を示すフローチャートである。
【図７】図７は、第２の実施形態に係る表示制御装置の構成の一例を示す図である。
【図８】図８は、ポップアップ表示により操作画面を表示する処理の一例を示す図である。
【図９】図９は、第２の実施形態に係る表示制御装置におけるポップアップ表示処理の流れの一例を示すフローチャートである。
【図１０】図１０は、リビングにいる場合に表示される消費電力表示画面の一例を説明する図である。
【図１１】図１１は、子供部屋にいる場合に表示される消費電力表示画面の一例を説明する図である。
【図１２】図１２は、その他の実施形態に係る登録機器リスト記憶部に記憶される情報の一例を説明する図である。
【図１３】図１３は、その他の実施形態に係る登録機器リスト記憶部に記憶される情報の一例を説明する図である。
【０００９】
以下で説明する実施形態に係る表示制御プログラムは、自装置の現在位置に関する位置情報を取得する取得手順と、取得手順によって取得された位置情報に対応する識別情報を、機器を識別する識別情報と、該機器が設置されている位置情報とを対応付けて記憶する記憶部から取得し、複数の機器に関する情報が表示される画面において、該取得された識別情報の機器に関する情報が、他の機器に関する情報よりも優先して表示されるように制御する表示制御手順と、を実行させる。
【００１０】
また、実施形態に係る表示制御プログラムの表示制御手順は、複数の機器に関する情報が表示される画面において、取得された識別情報の機器に関する情報が、他の機器に関する情報よりも画面の上方に表示されるように制御する。
【００１１】
また、実施形態に係る表示制御プログラムの表示制御手順は、複数の機器に関する情報が表示される画面において、取得された識別情報の機器に関する情報が、他の機器に関する情報よりも大きく表示されるように制御する。
【００１２】
また、実施形態に係る表示制御プログラムの取得手順によって取得された位置情報に対応する識別情報を用いて、ユーザ端末が特定の部屋に進入したか否かを判定する判定手順をさらに実行し、表示制御手順は、判定手順によって自装置が特定の部屋に進入したと判定した場合には、取得手順によって取得された位置情報に対応する識別情報を記憶部から取得し、該取得された識別情報の機器に関する情報が他の機器に関する情報よりも優先して表示される画面を、ポップアップで表示されるように制御する。
【００１３】
また、実施形態に係る表示制御プログラムの表示制御手順は、複数の機器に関する情報が表示される画面として、各機器を操作する操作メニュー画面または各機器の消費電力に関する表示画面が表示されるように制御する。
【００１４】
また、実施形態に係る表示制御システムは、複数の機器と、各機器に関する情報を表示する表示制御装置とを有する表示制御システムであって、表示制御装置が、機器を識別する識別情報と、該機器が設置されている位置情報とを対応付けて記憶する記憶部と、自装置の現在位置に関する位置情報を取得する取得部と、取得部によって取得された位置情報に対応する識別情報を記憶部から取得し、複数の機器に関する情報が表示される画面において、該取得された識別情報の機器に関する情報が、他の機器に関する情報よりも優先して表示されるように制御する表示制御部とを具備する。
【００１５】
また、実施形態に係る表示制御方法は、表示制御装置によって実行される表示制御方法であって、表示制御装置が、機器を識別する識別情報と、該機器が設置されている位置情報とを対応付けて記憶する記憶部を具備し、自装置の現在位置に関する位置情報を取得する取得ステップと、取得ステップによって取得された位置情報に対応する識別情報を記憶部から取得し、複数の機器に関する情報が表示される画面において、該取得された識別情報の機器に関する情報が、他の機器に関する情報よりも優先して表示されるように制御する表示制御ステップとを含む。
【００１６】
［第１の実施形態］
以下に、本発明にかかる表示制御装置の実施形態を図面に基づいて詳細に説明する。
【００１７】
［表示制御システムの構成の一例］
図１は、表示制御システム１００の一例の概要を示す図である。図１を参照し、実施形態に係る表示制御装置である１を含む表示制御システム１００の一例につき説明する。図１に示す実施形態に係る表示制御システム１００は、ホームゲートウェイ１と、エアコン２、５と、照明３、６と、床暖房４と、ビーコン７、８と、表示制御装置１０と、電力計測装置１５と、を備える。また、図１の例では、エアコン２、照明３、床暖房４およびビーコン７は、リビング９に設置されており、エアコン５、照明６およびビーコン８は、子供部屋１４に設置されている。
【００１８】
ホームゲートウェイ１は、ＨＥＭＳのコントロールを行う機器であり、エアコン２、照明３、床暖房４、エアコン５および照明６とＥＣＨＯＮＥＴＬｉｔｅによる通信を行うことで各機器の状態を取得したり、各機器に対する制御指令を出したりする。また、後述する表示制御装置１０とは例えば無線ＬＡＮで接続を行い、表示制御装置１０からの各機器に対する通信コマンドの中継を行う。
【００１９】
エアコン２、照明３、床暖房４、エアコン５および照明６は、ＥＣＨＯＮＥＴＬｉｔｅによる通信機能を備えた機器であり、ホームゲートウェイ１からの通信コマンドを受信して現在の機器の動作状態を応答したり、機器の電源のＯｎ／Ｏｆｆや運転モードの指示命令を受信してそれに応じた運転モードの変更動作を行ったりする。
【００２０】
ビーコン７およびビーコン８は、ｉＢｅａｃｏｎのような位置情報を提供するビーコンであり、表示制御装置１０とＢｌｕｅｔｏｏｔｈ（登録商標）で通信を行う事により表示制御装置１０に対して、自身のビーコン情報としてビーコンＩＤと位置情報と電波の強さを提供する。
【００２１】
表示制御装置１０は、例えばスマートフォンのような機器であり、ホームゲートウェイ１との通信機能、ビーコン７およびビーコン８との通信機能を具備し、またホームゲートウェイ１から取得した消費電力情報表示や、各機器操作のメニュー画面を表示しユーザ操作による各機器操作を実行する。
【００２２】
また、図１において、点線９はリビングの中である事を示しており、エアコン２、照明３，床暖房４、ビーコン７はその中に含まれていることを示している。また、点線１１は子供部屋の中である事を示しており、エアコン５、照明６、ビーコン８はその中に含まれていることを示している。
【００２３】
電力計測装置１５は、電力値を測定する装置であり、分電盤のリビングの分岐ブレーカと子供部屋の分岐ブレーカ、その他の分岐ブレーカの電力値を測定することにより、例えばリビングで使用している電力や子供部屋で使用している電力を計測する事ができ、この電力情報をホームゲートウェイ１に提供することで、ホームゲートウェイ１は表示制御装置１０の画面に表示可能な電力情報のコンテンツを提供することにより表示制御装置１０の画面に現在使用している部屋毎の電力使用状況を表示することが可能となる。
【００２４】
［表示制御装置の構成の一例］
図２を参照し、表示制御装置１０の構成について説明する。図２は、表示制御装置の構成の一例を示す図である。表示制御装置１０は、通信部１１と、制御部１２と、記憶部１３と、を備える。
【００２５】
通信部１１は、無線通信処理や有線通信処理を行うためのネットワークデバイスである。具体的には、通信部１１は、図１に示したホームゲートウェイ１およびビーコン７、８との間で、無線通信により各種情報を送受信する。
【００２６】
例えば、通信部１１は、ホームゲートウェイ１から機器操作メニューや各機器の消費電力情報のコンテンツを受信する。また、通信部１１は、ビーコン７、８からＢｌｕｅｔｏｏｔｈで通信を行い、ビーコンＩＤと位置情報と電波の強さを受信する。
【００２７】
記憶部１３は、例えば、ＲＡＭ（Random  Access  Memory)、フラッシュメモリ（Flash  Memory）等の半導体メモリ素子、または、ハードディスク、光ディスク等の記憶装置によって実現される。かかる記憶部１３は、登録機器リスト記憶部１３ａを有する。
【００２８】
登録機器リスト記憶部１３ａは、機器を識別する識別情報と、該機器が設置されている位置情報とを対応付けて記憶する。例えば、登録機器リスト記憶部１３ａは、図３に例示するように、家の中に設置されている機器を識別するための機器の名称を示す「機器」と、該機器が設置されている部屋を示す「設置位置」とを対応付けて記憶する。図３は、第１の実施形態に係る登録機器リスト記憶部に記憶される情報の一例を説明する図である。
【００２９】
図３の例では、例えば、機器「エアコン２」と、設置位置「リビング」とを対応付けて記憶している。これは、エアコン２がリビング９に設置されていることを意味する。また、例えば、図３の例では、機器「エアコン５」と、設置位置「子供部屋」とを対応付けて記憶している。これは、エアコン５が子供部屋１４に設置されていることを意味する。
【００３０】
制御部１２は、例えば、ＡＳＩＣ（Application  Specific  Integrated  Circuit）やＦＰＧＡ（Field  Programmable  Gate  Array）等の集積回路により実現される。また、制御部１２は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。かかる制御部１２は、取得部１２ａと、表示制御部１２ｂとを有する。
【００３１】
取得部１２ａは、表示制御装置１０の現在位置に関する位置情報を取得する。具体的には、取得部１２ａは、ビーコン７またはビーコン８からビーコンＩＤと位置情報と電波の強さとを取得する。例えば、取得部１２ａは、各機器を操作する操作メニュー画面または各機器の消費電力に関する表示画面を表示する操作を受け付けた場合に、表示制御装置１０がリビング９内にある場合には、ビーコン７からビーコンＩＤ「００１」、位置情報「リビング」および電波の強さの値を取得する。また、取得部１２ａは、表示制御装置１０が子供部屋１４内にある場合には、ビーコン８からビーコンＩＤ「００２」、位置情報「子供部屋」および電波の強さの値を取得する。なお、取得部１２ａは、位置情報を取得する処理のタイミングとして、各機器を操作する操作メニュー画面を表示する際に、位置情報を取得する場合に限らず、定期的に位置情報を取得するようにしてもよい。
【００３２】
表示制御部１２ｂは、取得部１２ａによって取得された位置情報に対応する識別情報を登録機器リスト記憶部１３ａから取得し、複数の機器に関する情報が表示される画面において、該取得された識別情報の機器に関する情報が、他の機器に関する情報よりも優先して表示されるように制御する。具体的には、表示制御部１２ｂは、複数の機器に関する情報が表示される画面において、該取得された識別情報の機器に関する情報が、他の機器に関する情報よりも画面の上方に表示されるように制御する。また、表示制御部１２ｂは、複数の機器に関する情報が表示される画面として、各機器を操作する操作メニュー画面または各機器の消費電力に関する表示画面が表示されるように制御する。
【００３３】
例えば、表示制御部１２ｂは、取得部１２ａによって取得された位置情報が「リビング」である場合には、リビングに対応する機器「エアコン２」、「照明３」、「床暖房４」を登録機器リスト記憶部１３ａから取得し、「エアコン２」、「照明３」、「床暖房４」の情報を、子供部屋に設置されている「エアコン５」、「照明６」よりも画面の上方に表示する。
【００３４】
例えば、図４の例を用いて説明すると、操作メニュー画面において、上から「エアコン（リビング）」、「照明（リビング）」、「床暖房（リビング）」、「エアコン（子供部屋）」、「照明（子供部屋）」の順に、電源オン、オフを操作する操作画面が表示される。つまり、リビングに設置されている「エアコン（リビング）」、「照明（リビング）」、「床暖房（リビング）」の電源オン、オフを操作する操作画面が上位に表示され、その下に、「エアコン（子供部屋）」、「照明（子供部屋）」の電源オン、オフを操作する操作画面が表示される。図４は、リビングにいる場合に表示される操作画面の一例を説明する図である。なお、ここでは、「エアコン（リビング）」がエアコン２に対応し、「照明（リビング）」が照明３に対応し、「床暖房（リビング）」が床暖房４に対応し、「エアコン（子供部屋）」がエアコン５に対応し、「照明（子供部屋）」が照明６に対応しているものとする。
【００３５】
また、例えば、表示制御部１２ｂは、取得部１２ａによって取得された位置情報が「子供部屋」である場合には、子供部屋に対応する機器「エアコン５」、「照明６」を登録機器リスト記憶部１３ａから取得し、「エアコン５」、「照明６」の情報を、リビングに設置されている「エアコン２」、「照明３」、「床暖房４」よりも画面の上方に表示する。
【００３６】
例えば、図５の例を用いて説明すると、操作メニュー画面において、上から「エアコン（子供部屋）」、「照明（子供部屋）」、「エアコン（リビング）」、「照明（リビング）」、「床暖房（リビング）」の順に、電源オン、オフを操作する操作画面が表示される。つまり、子供部屋に設置されている「エアコン（子供部屋）」、「照明（子供部屋）」の電源オン、オフを操作する操作画面が上位に表示され、その下に、「エアコン（リビング）」、「照明（リビング）」、「床暖房（リビング）」の電源オン、オフを操作する操作画面が表示される。
【００３７】
また、表示制御部１２ｂは、複数の機器に関する情報が表示される画面において、該取得された識別情報の機器に関する情報が、他の機器に関する情報よりも大きく表示されるように制御するようにしてもよい。例えば、表示制御部１２ｂは、取得部１２ａによって取得された位置情報が「リビング」である場合には、リビングに対応する機器「エアコン２」、「照明３」、「床暖房４」を登録機器リスト記憶部１３ａから取得し、「エアコン２」、「照明３」、「床暖房４」の情報を、子供部屋に設置されている「エアコン５」、「照明６」よりも大きく表示するようにしてもよい。
【００３８】
このように、表示制御装置１０の位置に応じて、機器操作メニューを切り替えて表示するので、ユーザは自動的に快適な状態で機器を動作させる事が可能となり、煩わしいリモコン操作を行う必要がなくなり利便性が高まる。つまり、例えば、リビングにユーザがいてリビングにあるエアコンを操作したい場合に、表示制御装置１０に操作メニュー画面を表示させると、リビングのエアコンを操作するためのメニューを画面上方に表示する。このため、画面をスクロールさせるなどの操作を行う必要がなく、また、ユーザに目立つところにリビングのエアコンを操作するためのメニューが表示されているので、ユーザは自動的に快適な状態でエアコンを動作させる事が可能となり、煩わしいリモコン操作を行う必要がなくなり利便性が高まる。
【００３９】
［表示制御装置の処理手順］
図６を参照して、表示制御装置１０における処理の流れの一例を説明する。図６は、第１の実施形態に係る表示制御装置における機器操作メニュー表示処理の流れの一例を示すフローチャートである。
【００４０】
図６に示すように、まず、表示制御装置１０の取得部１２ａは、ビーコン７またはビーコン８から表示制御装置１０の現在位置に関する位置情報を取得する（ステップＳ１０１）。具体的には、取得部１２ａは、ビーコン７またはビーコン８からビーコンＩＤと位置情報と電波の強さとを取得する。
【００４１】
そして、表示制御部１２ｂは、取得部１２ａによって取得された位置情報から表示制御装置１０がリビング９に入っているか子供部屋１４に入っているかを判定する（ステップＳ１０２）。この結果、表示制御部１２ｂは、表示制御装置１０がリビング９に入っていると判定した場合には、リビング用のメニューを表示する（ステップＳ１０３）。例えば、表示制御部１２ｂは、リビングに対応する機器「エアコン２」、「照明３」、「床暖房４」を登録機器リスト記憶部１３ａから取得し、「エアコン２」、「照明３」、「床暖房４」の情報を、子供部屋に設置されている「エアコン５」、「照明６」よりも画面の上方に表示する。
【００４２】
また、表示制御部１２ｂは、表示制御装置１０が子供部屋１４に入っていると判定した場合には、子供部屋用のメニューを表示する（ステップＳ１０４）。例えば、表示制御部１２ｂは、子供部屋に対応する機器「エアコン５」、「照明６」を登録機器リスト記憶部１３ａから取得し、「エアコン５」、「照明６」の情報を、リビングに設置されている「エアコン２」、「照明３」、「床暖房４」よりも画面の上方に表示する。
【００４３】
［第１の実施形態の効果］
このように、第１の実施形態に係る表示制御装置１０は、取得部１２ａと、表示制御部１２ｂと、登録機器リスト記憶部１３ａとを具備する。登録機器リスト記憶部１３ａは、機器を識別する識別情報と、該機器が設置されている位置情報とを対応付けて記憶する。取得部１２ａは、表示制御装置１０の現在位置に関する位置情報を取得する。表示制御部１２ｂは、取得部１２ａによって取得された位置情報に対応する識別情報を登録機器リスト記憶部１３ａから取得し、複数の機器に関する情報が表示される画面において、該取得された識別情報の機器に関する情報が、他の機器に関する情報よりも優先して表示されるように制御する。このため、ユーザの位置に応じて機器に関する情報を適切に表示して利便性を高めることができる。
【００４４】
例えば、従来では、登録されている機器の台数が大量にあるような場合は、画面をスクロールさせるなどして操作を行いたい機器のメニューを表示した上で機器のコントロールをするという操作を行う必要があり、非常に不便な場合があった。これに対して、第１の実施形態に係る表示制御装置１０では、ユーザの現在位置に応じて、現在位置に設置されている機器を優先的に表示するので、画面をスクロールさせるなどの操作が不要となり、利便性を高めることが可能である。
【００４５】
［第２の実施形態］
上述の第１の実施形態では、各機器を操作する操作メニュー画面を表示する操作を受け付けた際に画面を表示する場合を説明したが、これに限定されるものではなく、特定の部屋に進入した場合に、各機器を操作する操作メニュー画面をポップアップで自動的に表示させるようにしてもよい。
【００４６】
以下では、第２の実施形態として、位置情報に対応する識別情報を用いて、ユーザ端末が特定の部屋に進入したか否かを判定し、ユーザ端末が特定の部屋に進入したと判定した場合には、該取得された識別情報の機器に関する情報が他の機器に関する情報よりも優先して表示される画面を、ポップアップで表示されるように制御する場合について説明する。
【００４７】
まず、図７を用いて、第２の実施形態に係る表示制御装置１０Ａの構成について説明する。図７は、第２の実施形態に係る表示制御装置の構成の一例を示す図である。図７に示すように、表示制御装置１０Ａは、図２に示した表示制御装置１０と比較して、判定部１２ｃをさらに備える点が異なる。
【００４８】
判定部１２ｃは、取得部１２ａによって取得された位置情報に対応する識別情報を用いて、表示制御装置１０Ａが特定の部屋に進入したか否かを判定する。例えば、判定部１２ｃは、特定の表示制御装置１０Ａが特定の部屋に進入したか否かを示すフラグである部屋進入フラグがオンであるか否かを判定する。この結果、判定部１２ｃは、部屋進入フラグがオンでない場合には、特定の部屋に進入したか否かを判定し、特定の部屋に進入した場合には、部屋進入フラグをオンにする。また、判定部１２ｃは、部屋進入フラグがオンである場合には、特定の部屋に進入したか否かを判定し、進入していないと判定した場合には、部屋進入フラグをオフにする。
【００４９】
表示制御部１２ｂは、判定部１２ｃによって表示制御装置１０Ａが特定の部屋に進入したと判定した場合には、取得部１２ａによって取得された位置情報に対応する識別情報を登録機器リスト記憶部１３ａから取得し、該取得された識別情報の機器に関する情報が他の機器に関する情報よりも優先して表示される画面を、ポップアップで表示されるように制御する。
【００５０】
ここで、図８を用いて、ポップアップ表示により操作画面を表示する処理の一例について説明する。図８は、ポップアップ表示により操作画面を表示する処理の一例を示す図である。図８に例示するように、例えば、表示制御部１２ｂは、表示制御装置１０Ａが特定の部屋として、リビングに入った場合には、リビング用のポップアップメニュー３０として、「エアコン（リビング）」、「照明（リビング）」および「床暖房（リビング）」を操作するための操作メニュー画面を自動的にポップアップ表示する。
【００５１】
また、例えば、表示制御部１２ｂは、表示制御装置１０Ａが特定の部屋として、子供部屋に入った場合には、子供部屋用のポップアップメニュー３１として、「エアコン（子供部屋）」および「照明（子供部屋）」を操作するための操作メニュー画面を自動的にポップアップ表示する。
【００５２】
次に、図９を参照して、表示制御装置１０Ａにおける処理の流れの一例を説明する。図９は、第２の実施形態に係る表示制御装置におけるポップアップ表示処理の流れの一例を示すフローチャートである。
【００５３】
図９に示すように、表示制御装置１０Ａの取得部１２ａは、ビーコン７またはビーコン８から表示制御装置１０Ａの現在位置に関する位置情報を取得する（ステップＳ２０１）。そして、判定部１２ｃは、特定の表示制御装置１０Ａが特定の部屋に進入したか否かを示すフラグである部屋進入フラグがオンであるか否かを判定する（ステップＳ２０２）。
【００５４】
この結果、判定部１２ｃは、部屋進入フラグがオンでない場合には（ステップＳ２０２否定）、特定の部屋に進入したか否かを判定する（ステップＳ２０５）。この結果、特定の部屋に進入していないと判定した場合には（ステップＳ２０５否定）、ステップＳ２１０の処理に進む。
【００５５】
また、判定部１２ｃが特定の部屋に進入したと判定した場合には（ステップＳ２０５肯定）、表示制御部１２ｂは、取得部１２ａによって取得された位置情報から表示制御装置１０Ａがリビング９に入っているか子供部屋１４に入っているかを判定する（ステップＳ２０６）。この結果、表示制御部１２ｂは、表示制御装置１０Ａがリビング９に入っていると判定した場合には、リビング用のポップアップメニューを表示する（ステップＳ２０７）。また、表示制御部１２ｂは、表示制御装置１０Ａが子供部屋１４に入っていると判定した場合には、子供部屋用のポップアップメニューを表示する（ステップＳ２０８）。その後、判定部１２ｃは、部屋進入フラグをオンにする（ステップＳ２０９）。
【００５６】
また、ステップＳ２０２において、判定部１２ｃは、部屋進入フラグがオンである場合には（ステップＳ２０２肯定）、特定の部屋に進入したか否かを判定する（ステップＳ２０３）。この結果、判定部１２ｃは、特定の部屋に進入していないと判定した場合には（ステップＳ２０３否定）、部屋進入フラグをオフにする（ステップＳ２０４）。また、特定の部屋に進入したと判定した場合には（ステップＳ２０３肯定）、ステップＳ２１０の処理に進む。ステップＳ２１０では、一定時間ＷＡＩＴ処理を行い（ステップＳ２１０）、ステップＳ２０１の処理に戻る。
【００５７】
このように、第２の実施形態に係る表示制御装置１０Ａでは、位置情報に対応する識別情報を用いて、ユーザ端末が特定の部屋に進入したか否かを判定し、ユーザ端末が特定の部屋に進入したと判定した場合には、該取得された識別情報の機器に関する情報が他の機器に関する情報よりも優先して表示される画面を、ポップアップで表示されるように制御する。このため、例えば、特定の部屋に進入した際に、自動的に操作メニュー画面をポップアップ表示させることで、ユーザが操作することなく、操作メニュー画面を自動的に表示させることが可能である。
【００５８】
［第３の実施形態］
上述の第１、２の実施形態では、主に操作メニュー画面を表示させる場合を説明したが、各機器の消費電力に関する表示画面を表示するようにしてもよい。そこで、第３の実施形態では、各機器の消費電力に関する表示画面が表示されるように制御する場合について説明する。
【００５９】
例えば、図１０の例を用いて説明すると、リビング９に入った場合には、各部屋における機器の消費電力表示画面において、上から「リビング」、「子供部屋」、「玄関」、「台所」、「書斎」、「和室」の順に、消費電力が表示される。つまり、リビング９に設置されている「エアコン２」、「照明３」、「床暖房４」の消費電力の合計が一番上に強調表示される。図１０は、リビングにいる場合に表示される消費電力表示画面の一例を説明する図である。
【００６０】
また、図１１の例を用いて説明すると、子供部屋１４に入った場合には、各部屋における機器の消費電力表示画面において、上から「子供部屋」、「リビング」、「玄関」、「台所」、「書斎」、「和室」の順に、消費電力が表示される。つまり、子供部屋１４に設置されている「エアコン５」、「照明６」の消費電力の合計が一番上に強調表示される。なお、全ての部屋の電力情報を表示せずに現在の部屋の電力情報のみの表示を行うようにしても良いし、また、ポップアップ表示のようにして現在の部屋の電力情報の表示が強調されるように表示しても良い。図１１は、子供部屋にいる場合に表示される消費電力表示画面の一例を説明する図である。
【００６１】
［その他の実施形態］
また、各機器の使用回数や使用時間を記憶しておき、使用回数や使用時間に応じて、同一の部屋に設置された機器のうち、いずれの機器を優先的に表示するかを決定するようにしてもよい。例えば、図１２に例示するように、登録機器リスト記憶部１３ａは、機器を識別する識別情報と、該機器が設置されている位置情報とともに、各機器の「使用回数」と、各機器の「使用時間」とを対応付けて記憶する。
【００６２】
そして、例えば、表示制御部１２ｂは、取得部１２ａによって取得された位置情報が「リビング」である場合には、リビングに設置された機器「エアコン２」、「照明３」、「床暖房４」のうち、使用回数が多いものを上方に強調表示する。つまり、表示制御部１２ｂは、図１２の例を用いて説明すると、操作画面として、「照明３」、「エアコン２」、「床暖房４」の順に電源オン、オフを操作する操作画面を表示する。なお、リビングに設置された機器「エアコン２」、「照明３」、「床暖房４」のうち、使用時間が長いものを上方に強調表示するようにしてもよい。
【００６３】
また、ホームゲートウェイ１等が各操作機器である表示制御装置ごとに、各機器を使用した使用回数を記憶しておき、使用回数に応じて、同一の部屋に設置された機器のうち、いずれの機器を優先的に表示するかを決定するようにしてもよい。例えば、図１３に例示するように、ホームゲートウェイ１等が、操作機器ごとに、エアコン使用回数、照明使用回数、床暖房使用回数を記憶する。そして、例えば、表示制御部１２ｂは、自装置が操作機器Ａであって、取得部１２ａによって取得された位置情報が「リビング」である場合には、リビングに設置された機器「エアコン２」、「照明３」、「床暖房４」のうち、使用回数が多いものを上方に強調表示する。つまり、表示制御部１２ｂは、図１３の例では、照明の使用回数「３０」、エアコンの使用回数「２０」、床暖房の使用回数「５」の順になるので、操作画面として、「照明３」、「エアコン２」、「床暖房４」の順に電源オン、オフを操作する操作画面を表示する。
【００６４】
また、上記の説明では、位置情報の取得に際しては各部屋においたビーコンにより行う例を示したが、例えばリビングと子供部屋のそれぞれに置かれたＷｉＦｉルーターのうちのどちらのＷｉＦｉルーターに無線接続しているかを判断して位置情報を特定する等、他の位置情報を検出する手段を用いて部屋を特定するよう実現しても構わない。
【００６５】
［プログラム］
なお、表示制御装置１０は、例えば、汎用のコンピュータ装置を基本ハードウェアとして実現することが可能である。すなわち、取得部１２ａ、表示制御部１２ｂは、上記のコンピュータ装置に搭載されたプロセッサにプログラムを実行させることにより実現することができる。取得部１２ａ、表示制御部１２ｂは、例えば、ＣＰＵ（Central  Processing  Unit）などの処理装置にプログラムを実行させること、すなわち、ソフトウェアにより実現してもよいし、ＩＣ（Integrated  Circuit）などのハードウェアにより実現してもよいし、ソフトウェアおよびハードウェアを併用して実現してもよい。
【００６６】
このとき、表示制御装置１０は、上記のプログラムをコンピュータ装置にあらかじめインストールすることで実現してもよいし、ネットワークを介して上記のプログラムを配布して、このプログラムをコンピュータ装置に適宜インストールすることで実現してもよい。また、取得部１２ａ、制御部１２ｂは、上記のコンピュータ装置に内蔵あるいは外付けされたメモリやハードディスクなどの記憶媒体などを適宜利用して実現することができる。
【００６７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６８】
１  ホームゲートウェイ
２、５  エアコン
３、６  照明
４  床暖房
７、８  ビーコン
１１  通信部
１２  制御部
１２ａ  取得部
１２ｂ  表示制御部
１２ｃ  判定部
１３  記憶部
１３ａ  登録機器リスト記憶部
１００  表示制御システム
【図１】
2016181839.tif 000003
【図２】
2016181839.tif 000004
【図３】
2016181839.tif 000005
【図４】
2016181839.tif 000006
【図５】
2016181839.tif 000007
【図６】
2016181839.tif 000008
【図７】
2016181839.tif 000009
【図８】
2016181839.tif 000010
【図９】
2016181839.tif 000011
【図１０】
2016181839.tif 000012
【図１１】
2016181839.tif 000013
【図１２】
2016181839.tif 000014
【図１３】
2016181839.tif 000015